(57)【特許請求の範囲】
【請求項１】
複数の処理モードを有する画像形成装置で画像形成された用紙に所定の後処理を施す後処理ユニットを有するフィニッシャーモジュールと、上下方向に間隔をおいて配置された複数のトレイを有するトレイモジュールとを備え、前記フィニッシャーモジュールで後処理した用紙を前記トレイモジュールのトレイに排出する画像形成装置の後処理装置において、
前記画像形成された用紙を前記フィニッシャーモジュールの後処理ユニットと前記トレイモジュールに設けられた第１のトレイとに跨った状態に積載して、当該第１のトレイを利用した用紙揃えを前記フィニッシャーモジュールで行うとともに、当該用紙揃えを終えた用紙に前記後処理ユニットで所定の後処理を施したのち、その処理済の用紙を前記トレイモジュールの前記第１のトレイに排出する第１の後処理ジョブと、前記画像形成された用紙を前記フィニッシャーモジュールの後処理ユニットと前記トレイモジュールに設けられた第２のトレイとに跨った状態に積載して、当該第２のトレイを利用した用紙揃えを前記フィニッシャーモジュールで行うとともに、当該用紙揃えを終えた用紙に前記後処理ユニットで所定の後処理を施したのち、その処理済の用紙を前記後処理ユニットに一旦引き込み、その後、前記後処理ユニットの昇降動作により、前記トレイモジュールの内部で前記第２のトレイの上側又は下側に配設された第３のトレイに前記処理済みの用紙を排出する第２の後処理ジョブとを実行可能なジョブ実行手段と、
前記画像形成装置側での処理モードに応じて、前記第１，第２の後処理ジョブのうちのいずれか一方を実行ジョブとして決定するジョブ決定手段と、
前記ジョブ決定手段で決定された実行ジョブに従って前記ジョブ実行手段を駆動制御する制御手段と
を備えたことを特徴とする画像形成装置の後処理装置。
【請求項２】
請求項１記載の画像形成装置の後処理装置において、
前記第１，第２の後処理ジョブのうちのいずれか一方を選択するためのジョブ選択手段を具備し、
前記ジョブ決定手段は、前記ジョブ選択手段によって後処理ジョブの選択がなされた場合に、その選択された後処理ジョブを実行ジョブとして決定する
ことを特徴とする画像形成装置の後処理装置。
【発明の詳細な説明】
【０００１】
【発明の属する技術分野】
本発明は、画像形成された用紙に所定の後処理を施す画像形成装置の後処理装置に関するものである。
【０００２】
【従来の技術】
一般に、複写機等の画像形成装置には、ユーザからの要求に対応して画像形成済の用紙に所定の後処理を施す後処理装置が標準又はオプションとして用意されている。特に、画像形成された用紙を一枚ずつ揃えて積載し、その用紙束の端部に一箇所または複数箇所にわたってステープル針を打ち込む、いわゆる端綴じ機能については、ユーザ側の業務の負担を軽減するうえで効果が大きいため、後処理装置の主要な機能の一つとして位置づけられている。
ところで、この種の後処理装置の中には、その後処理装置の本体内部に端綴じ処理のためのコンパイルトレイ（用紙揃え専用のトレイ）を内蔵したものが知られているが、そうした装置ではコンパイルトレイと用紙収容トレイ（スタックトレイ）とが並設された構成となっているため、どうしても装置サイズが大きくなってしまう。
【０００３】
この対策として従来では、コンパイルトレイと用紙収容トレイとに跨がったかたちで用紙を積載するようにしたものが、例えば特公平８−９４５１号公報、特開平２−１４４３７０号公報に記載されている。
この公報に記載された後処理装置では、コンパイルトレイと用紙収容トレイとに跨がって用紙を積載した状態で端綴じ処理を行ったのち、その処理済の用紙束を用紙収容トレイに排出し、その後、用紙束の厚み分だけ用紙収容トレイを下降させるようにしている。そして、次の端綴じ処理に際しては、その前に用紙収容トレイに排出された用紙束の最上面を利用して用紙揃えを行うことにより、装置サイズの小型化を実現している。
【０００４】
【発明が解決しようとする課題】
しかしながら上記公報に記載された後処理装置においては、用紙収容トレイに排出された用紙束の最上面を利用して、次に後処理すべき用紙を揃えている最中に、ユーザが用紙収容トレイ上から用紙束を取り出してしまうと、用紙積載面となる用紙束の最上面の高さが変わって用紙の揃え精度が悪化するという問題があった。この対策としては、ユーザによって用紙束が抜き取られても用紙揃え精度に影響がでないよう、コンパイルトレイから用紙排出トレイ側に向けてコンパイル補助板を進出させ、このコンパイルトレイ補助板を利用して用紙揃えを行う方式のものが、例えば特開平４−３１６８９４号公報に記載されているが、この場合は、用紙収容トレイ上に進出するコンパイルトレイ補助板の動きを注意しながら用紙束を取り出す必要があるため、ユーザ側での操作性が悪くなる。
【０００５】
そこで本出願人は、コンパイルトレイと用紙収容トレイとを上下に配置し、コンパイルトレイを利用して揃えた用紙に端綴じ処理を行ったのち、用紙排出先のトレイを切り替えて用紙収容トレイに端綴じ処理済の用紙を排出することにより、装置サイズの小型化と用紙揃え精度の向上、さらにはユーザ側での操作性の向上を同時に実現した後処理装置を既に提案している。
ところが、この後処理装置の場合は、用紙排出先のトレイを切り替えるために、ステープラ等を備えた装置ユニットをコンパイルトレイと用紙収容トレイとの間で昇降させる必要があることから、上述のように用紙束の最上面を利用して用紙揃えを行う場合に比較して処理時間が長くなるという難点があった。
【０００６】
【課題を解決するための手段】
そこで本発明では、複数の処理モードを有する画像形成装置で画像形成された用紙に所定の後処理を施す後処理ユニットを有するフィニッシャーモジュールと、上下方向に間隔をおいて配置された複数のトレイを有するトレイモジュールとを備え、フィニッシャーモジュールで後処理した用紙をトレイモジュールのトレイに排出する画像形成装置の後処理装置において、画像形成された用紙をフィニッシャーモジュールの後処理ユニットとトレイモジュールに設けられた第１のトレイとに跨った状態に積載して、当該第１のトレイを利用した用紙揃えをフィニッシャーモジュールで行うとともに、当該用紙揃えを終えた用紙に後処理ユニットで所定の後処理を施したのち、その処理済の用紙をトレイモジュールの第１のトレイに排出する第１の後処理ジョブと、画像形成された用紙をフィニッシャーモジュールの後処理ユニットとトレイモジュールに設けられた第２のトレイとに跨った状態に積載して、当該第２のトレイを利用した用紙揃えをフィニッシャーモジュールで行うとともに、当該用紙揃えを終えた用紙に後処理ユニットで所定の後処理を施したのち、その処理済の用紙を後処理ユニットに一旦引き込み、その後、後処理ユニットの昇降動作により、トレイモジュールの内部で第２のトレイの上側又は下側に配設された第３のトレイに処理済みの用紙を排出する第２の後処理ジョブとを実行可能なジョブ実行手段と、画像形成装置側での処理モードに応じて、第１，第２の後処理ジョブのうちのいずれか一方を実行ジョブとして決定するジョブ決定手段と、このジョブ決定手段で決定された実行ジョブに従ってジョブ実行手段を駆動制御する制御手段とを備えた構成を採用している。
【０００７】
上記構成からなる画像形成装置の画像形成装置では、複数の処理モードを有する画像形成装置がいずれかの処理モードで画像形成を行う場合、その処理モードに応じて第１，第２の後処理ジョブのうちのいずれを実行するかをジョブ決定手段で決定し、そこで決定した後処理ジョブに従って制御手段がジョブ実行手段を駆動制御する。これにより、画像形成装置側での各種の処理モードに応じて、それぞれの処理モードに適した後処理ジョブをジョブ実行手段にて実行させることが可能となる。
【０００８】
【発明の実施の形態】
以下、本発明の実施の形態について図面を参照しつつ詳細に説明する。
図１は本発明に係る画像形成装置の後処理装置の一実施形態を説明する図であり、図中（ａ）はその側面概略図、（ｂ）はその機能ブロック図である。
先ず、図１（ａ）においては、画像形成装置１の用紙排出側（図中右側）に連結部２を介して後処理装置３が連結されている。
【０００９】
画像形成装置１は、複数の処理モードを有するデジタル複合機等から成るものであって、処理モードとしては、原稿の画像を読み取って画像信号を取得し、その画像信号に基づいて画像形成を行うコピーモードと、パーソナルコンピュータ等の端末装置からケーブル等を介して送信された画像信号を受信し、その画像信号に基づいて画像形成を行うプリンタモードと、電話回線等を介して受信した画像信号に基づいて画像形成を行うファクシミリモードとを有している。
【００１０】
連結部２は、画像形成装置１によって画像形成された用紙を所定の経路に沿って搬送する用紙搬送機能を有し、この用紙搬送機能を利用して画像形成装置１側から送出された用紙を後処理装置３に受け渡す。
【００１１】
後処理装置３は、主として、フィニッシャーモジュール４と、トレイモジュール５とから構成されている。
【００１２】
フィニッシャーモジュール４は、画像形成装置１から送出された用紙に所定の後処理を施す後処理ユニット６と、この後処理ユニット６を昇降させる昇降機構（不図示）とを備えている。また、後処理ユニット６は、画像形成装置１から送出された用紙を一枚ずつ揃える用紙揃え機構（不図示）と、この用紙揃え機構によって揃えられた用紙束の端部を綴じるステープラ７と、このステープラ７によって綴じられた用紙束を排出する用紙排出機構（不図示）とを有している。
【００１３】
トレイモジュール５は、上下方向に所定の間隔をおいて配置された３つのトレイコンポーネント８，９，１０を備えている。このうち、上段のトレイコンポーネント８は、主として第１の後処理ジョブ（後述）を実行する際に利用されるもので、そのコンポーネント内部には昇降可能な大容量トレイ８ａが組み込まれている。中段のトレイコンポーネント９は、主として第２の後処理ジョブ（後述）を実行する際に利用されるもので、そのコンポーネント内部には昇降可能な大容量トレイ９ａの他に、用紙揃え専用のコンパイルトレイ９ｂが組み込まれている。下段のトレイコンポーネント１０は、主として、第１，第２の後処理ジョブ以外の特殊処理（例えば、用紙を二つ折りにする処理や、その折り目部分を綴じる中綴じ処理等）を行うためのもので、そのコンポーネント内部には大容量トレイ１０ａが組み込まれている。
【００１４】
一方、図１（ｂ）において、フィニッシャーモジュール駆動系１１は、上述したフィニッシャーモジュール４を駆動するためのもので、この中には、後処理ユニット６を昇降させる昇降機構や用紙揃えを行う用紙揃え機構、さらにはステープラ７を駆動するステープラ駆動機構やステープル済の用紙を排出する用紙排出機構等が含まれる。
トレイモジュール駆動系１２は、上述したトレイモジュール５を駆動するためのもので、この中には、各々のトレイコンポーネント８〜１０を独立に昇降させるコンポーネント昇降機構や、それぞれのトレイコンポーネント８〜１０内に組み込まれたの大容量トレイ８ａ〜１０ａを独立に昇降させるトレイ昇降機構等が含まれる。
【００１５】
モード入力部１３は、画像形成装置１側での処理モード（コピーモード、プリンタモード、ファクリミリモード）を入力するものである。
ジョブ選択部１４は、後述する第１，第２の後処理ジョブのいずれか一方をユーザ側で選択するためのものである。
コントローラ１５は、その機能的な要素として、ジョブ決定部１６とモジュール制御部１７とを有している。
ジョブ決定部１６は、モード入力部１３を介して入力されるモード情報、即ち画像形成装置１側での処理モードに応じて、フィニッシャーモジュール駆動系１１及びトレイモジュール駆動系１２で実行すべき後処理ジョブを決定するもので、ここでは画像形成装置１側での処理モードがコピーモードの場合は第１の後処理ジョブ（後述）を実行ジョブとして決定し、画像形成装置１側での処理モードがプリンタモード又はファクシミリモードの場合は第２の後処理ジョブ（後述）を実行ジョブとして決定するようになっている。但し、ジョブ決定部１６では、上述したジョブ選択部１４によって後処理ジョブの選択がなされていると、画像形成装置１側での処理モードにかかわらず、ジョブ選択部１４で選択された後処理ジョブを実行ジョブとして決定するようになっている。
モジュール制御部１７は、ジョブ決定部１６で決定された後処理ジョブに従ってフィニッシャーモジュール駆動系１１及びトレイモジュール駆動系１２を駆動制御するものである。
【００１６】
続いて、上記構成からなる後処理装置３の動作機能について説明する。
先ず、画像形成装置１での処理モードがコピーモードであった場合は、そのモード情報がモード入力部１３によってジョブ決定部１５に通知される。このときジョブ決定部１５では、ジョブ選択手段１４を介してユーザ側から後処理ジョブの選択がなされていないかどうかを確認し、選択されていない場合は第１の後処理ジョブを実行ジョブとして決定する。そうすると、モジュール制御部１７では、ジョブ決定部１６で決定された第１の後処理ジョブを実行すべく、フィニッシャーモジュール駆動系１１及びトレイモジュール駆動１２を駆動制御する。
【００１７】
これにより、後処理装置３の内部では図２に示す動作フローに従って第１の後処理ジョブが実行される。
先ず、画像形成装置１で画像形成された用紙は、連結部２を介して後処理ユニット６に送られる（図中（ａ）参照）。次に、後処理ユニット６に送られた用紙は、上段のトレイコンポーネント８の大容量トレイ８ａを用いて一枚ずつ揃えられる（図中（ｂ）参照）。このとき、大容量トレイ８ａに既に幾つかの用紙束が排出されている場合は、その用紙束の最上面を利用して用紙揃えが行われる。そして、規定枚数の用紙を揃え終えるとステープラ７が駆動し、これによって用紙束の端部が綴じられる。こうして綴じられた用紙は図示せぬ用紙排出機構によって大容量トレイ８ａ上に排出される（図中（ｃ）参照）。そうすると、上段のトレイコンポーネント８は、大容量トレイ８ａ上に新たに排出された１束分の用紙厚み分（Ａ寸法）だけ下降する（図中（ｄ）参照）。
以後、上記同様の繰り返しによって第１の後処理ジョブが進行する。
【００１８】
これに対して、画像形成装置１での処理モードがプリンタモード又はファクシミリモードであった場合、ジョブ決定部１５では第２の後処理ジョブを実行ジョブとして決定する。そうすると、モジュール制御部１７では、ジョブ決定部１６で決定された第２の後処理ジョブを実行すべく、フィニッシャーモジュール駆動系１１及びトレイモジュール駆動１２を駆動制御する。
【００１９】
これにより、後処理装置３の内部では図３に示す動作フローに従って第２の後処理ジョブが実行される。
先ず、画像形成装置１で画像形成された用紙は、連結部２を介して後処理ユニット６に送られる（図中（ａ）参照）。次に、後処理ユニット６に送られた用紙は、中段のトレイコンポーネント９に組み込まれた用紙揃え専用のコンパイルトレイ９ｂを用いて一枚ずつ揃えられる（図中（ｂ）参照）。そして、規定枚数の用紙を揃え終えるとステープラ７が駆動し、これによって用紙束の端部が綴じられる。こうして綴じられた用紙は図示せぬ用紙排出機構を利用して一旦、後処理ユニット６に完全に引き込まれる（図中（ｃ）参照）。この状態から後処理ユニット６は所定量（Ｂ寸法）だけ上昇し、その上昇動作が完了した段階で大容量トレイ９ａ上に用紙束が排出される（図中（ｄ），（ｅ）参照）。そうすると、中段のトレイコンポーネント９は、大容量トレイ９ａ上に新たに排出された１束分の用紙厚み分だけ下降する。また、後処理ユニット６は上記所定量だけ下降して元の位置に戻る（図中（ｆ）参照）。
以後、上記同様の繰り返しによって第２の後処理ジョブが進行する。
【００２０】
このように本実施形態においては、画像形成装置１側での処理モードがコピーモードの場合は、用紙排出先のトレイを切り替える必要のない、処理速度優先の第１の後処理ジョブを実行するようにしたので、コピーモード時におけるユーザの待ち時間を少なくすることができる。また、第１の後処理ジョブを実行した場合は、画像形成装置１によって画像形成された用紙の面が上向きの状態で、各々の用紙束が上段のトレイコンポーネント８（大容量トレイ８ａ）に排出されるため、その排出された用紙の処理状態（画像形成状態、綴じ状態等）を容易に目視確認することができる。
【００２１】
これに対して、画像形成装置１での処理モードがプリンタモード又はファクシミリモードの場合は、後処理ユニット６の昇降動作によって用紙排出先のトレイを切り替える、操作性優先の第２の後処理ジョブを実行するようにしたので、ユーザ側では大容量トレイ９ａに排出された用紙束を何の注意もなく取り出すことができる。さらに、第２の後処理ジョブでは、上記第１の後処理ジョブに比較して処理速度が遅くなるものの、画像形成装置１側の処理モードがプリンタモード又はファクシミリモードとなっているため、上記コピーモードのようにユーザが装置の近くで待機していることがなく、よって処理速度の遅れが特に問題となることもない。
【００２２】
これに加えて本実施形態では、後処理装置３で実行される後処理ジョブをユーザ側で選択するためのジョブ選択部１４を具備し、このジョブ選択部１４を介して後処理ジョブの選択がなされた場合は、その選択された後処理ジョブを実行ジョブとして決定する構成を採用しているため、その時々の状況に応じて適切な後処理ジョブを実行させることができる。
【００２３】
例えば、パーソナルコンピュータ等の端末装置を操作するユーザが、その端末装置に入力された文字情報等を画像形成装置１で出力させる場合に、後処理済の用紙束を出来るだけ早く入手したいといった状況では、ジョブ選択部１４を介して第１の後処理ジョブを選択することにより、用紙出力までの所要時間を短縮することができる。また、これ以外にも、画像形成装置１を用いてユーザがコピーを行う場合に、後処理済の用紙束を直ぐに取り出す必要がないような状況では、ジョブ選択部１４を介して第２のジョブを選択することにより、用紙出力後に大容量トレイ９ｂから何の注意もなく用紙束を取り出すことが可能となる。
【００２４】
なお、上記実施形態においては、第１の後処理ジョブの実行時において大容量トレイ８ａ上に用紙束が排出された際、その用紙束の厚み分だけ上段のトレイコンポーネント８を下降させるようにしたが、これ以外にも、上段のトレイコンポーネント８を停止したまま、その内部の大容量トレイ８ａを用紙束の厚み分だけ下降させるようにしてもよい。また、第２の後処理ジョブの実行時においても、中段のトレイコンポーネント９を下降させる代わりに、その内部の大容量トレイ９ａを下降させるようにしてもよい。
【００２５】
図４は本発明に係る画像形成装置の後処理装置の変形例とその動作フローを説明する図である。
この図４に示す後処理装置３の構成では、中段のトレイコンポーネント９の最上部にコンパイルトレイ９ｂが配置され、その下方に所定の間隔をおいて大容量トレイ９ａが配置されている。つまり、先述した実施形態の装置構成に対して、大容量トレイ９ａとコンパイルトレイ９ｂの関係が上下逆になっている。
【００２６】
この場合の動作フローとしては、先ず、画像形成装置１で画像形成された用紙が、連結部２を介して後処理ユニット６に送られる（図中（ａ）参照）。次に、後処理ユニット６に送られた用紙は、中段のトレイコンポーネント９の最上部に組み込まれたコンパイルトレイ９ｂを用いて一枚ずつ揃えられる（図中（ｂ）参照）。そして、規定枚数の用紙を揃え終えるとステープラ７が駆動し、これによって用紙束の端部が綴じられる。こうして綴じられた用紙は図示せぬ用紙排出機構を利用して一旦、後処理ユニット６に完全に引き込まれる（図中（ｃ）参照）。この状態から後処理ユニット６は所定量（図中Ｃ）だけ下降し、その上昇動作が完了した段階で大容量トレイ９ａ上に用紙束が排出される（図中（ｄ），（ｅ）参照）。そうすると、中段のトレイコンポーネント９（又は大容量トレイ９ａ）は、大容量トレイ９ａ上に新たに排出された１束分の用紙厚み分だけ下降する。また、後処理ユニット６は上記所定量だけ上昇して元の位置に戻る（図中（ｆ）参照）。
以後、上記同様の繰り返しによって第２の後処理ジョブが進行する。
【００２７】
ちなみに、図４に示す動作フローでは、後処理済の用紙束を後処理ユニット６に引き込むようにしているが、これ以外にも、例えばコンパイルトレイ９ｂの底部を開閉するシャッター機構を設け、トレイ切り替えに伴う後処理ユニット６の下降動作に連動してコンパイルトレイ９ｂの底部を開放することにより、大容量トレイ９ａ上に用紙束を落下させて収容する方式を採用することもできる。
【００２８】
また、これまでに述べた実施形態では、中段のトレイコンポーネント９だけにコンパイルトレイ９ｂを設けるようにしているが、これ以外にも、図５に示すように上段のトレイコンポーネント８に対しても、上述の大容量トレイ８ａの他に用紙揃え専用のコンパイルトレイ８ｂを設けるようにしてもよい。この場合、連結部２の構成として、大容量トレイ８ａに対応した用紙受け渡し口Ｐ１の他に、コンパイルトレイ８ｂに対応した用紙受け渡し口Ｐ２を設けることで、上述した第２の後処理ジョブを上段のトレイコンポーネント８（大容量トレイ８ａ，コンパイルトレイ８ｂ）を利用して実行することも可能となる。これにより、例えば画像形成装置１がプリンタモード又はファクシミリモードで稼働している最中に、中段のトレイコンポーネント９が用紙束で一杯になって収容能力がなくなった場合でも、使用先のトレイコンポーネントを上段のトレイコンポーネント８に切り替えて第２の後処理ジョブを継続することが可能となる。
【００２９】
さらに、中段のトレイコンポーネント９に対応する連結部２の用紙受け渡し口として、図５に示すように大容量トレイ９ａに対応した用紙受け渡し口Ｐ３とコンパイルトレイ９ｂに対応した用紙受け渡し口Ｐ４とを設けることで、上述した第１の後処理ジョブを中段のトレイコンポーネント９（大容量トレイ９ａ）を利用して第１の後処理ジョブを実行することも可能となる。これにより、例えば画像形成装置１がコピーモードで稼働している最中に、上段のトレイコンポーネント８が用紙束で一杯になって収容能力がなくなった場合でも、使用先のトレイコンポーネントを中段のトレイコンポーネント９に切り替えて第１の後処理ジョブを継続することが可能となる。
【００３０】
また、こうしたトレイコンポーネントの共通化に伴い、連結部２から後処理ユニット６への用紙受け渡し口が多数に及ぶ場合は、その両者間での用紙受け渡し手段として、図６に示すような構成を採用すると、より好適なものとなる。
即ち、図６においては、連結部２の最上部に渦巻き状のシュートガイド１８が設けられ、そのシュートガイド１８の一端が後処理ユニット６に固定されている。一方、後処理ユニット６には、これに固定されたシュートガイド１８との間で用紙搬送路を形成する用紙受けガイド１９が設けられ、その用紙受けガイド１９の一端が連結部２側に延出している。
【００３１】
この構成においては、用紙排出先のトレイを切り替えるべく後処理ユニット６が昇降した際に、その昇降動作に連動してシュートガイド１８が伸縮するとともに、用紙受けガイド１９が後処理ユニット６と一体に昇降する。これにより、連結部２から後処理ユニット６への用紙受け渡し箇所がいずれの位置にあっても、後処理ユニット６側で用紙を受け取ることができるため、個々のトレイに対応して連結部２に多数の用紙受け渡し口を設ける必要がなくなる。また、任意のトレイに対応した目標位置に向けて後処理ユニット６が昇降移動する際にも、後処理ユニット６が目標位置に到達する前（昇降移動中）に連結部２から用紙を受け取ることが可能となる。これにより、連結部２から後処理ユニット６への用紙の受け渡し動作と、後処理ユニット６の昇降動作とを同時進行（並列処理）で行うことができるため、処理時間を短縮することが可能となる。
【００３２】
【発明の効果】
以上説明したように本発明によれば、複数の処理モードを有する画像形成装置がいずれかの処理モードで画像形成を行う場合、その処理モードに応じて第１，第２の後処理ジョブのうちのいずれを実行するかをジョブ決定手段で決定し、そこで決定した後処理ジョブに従ってジョブ実行手段を制御手段で駆動制御するようにしたので、画像形成装置側での処理モードに適した後処理ジョブをジョブ実行手段で実行させることが可能となる。
これにより、画像形成装置側での処理モードがコピーモードの場合は、処理速度優先の第１の後処理ジョブを実行することにより、コピー終了までのユーザの待ち時間を少なくすることができる。また、画像形成装置側での処理モードがプリンタモード又はファクシミリモードの場合は、操作性優先の第２の後処理ジョブを実行することにより、ユーザ側では第３のトレイに用紙が排出された時点で何の注意もなく用紙を取り出すことが可能となる。
【図面の簡単な説明】
【図１】  本発明に係る後処理装置の一実施形態を説明する図である。
【図２】  第１の後処理ジョブを実行する際の動作フローを示す図である。
【図３】  第２の後処理ジョブを実行する際の動作フローを示す図である。
【図４】  本発明に係る後処理装置の変形例を示す図である。
【図５】  本発明に係る後処理装置の第１の応用例を示す図である。
【図６】  本発明に係る後処理装置の第２の応用例を示す図である。
【符号の説明】
１…画像形成装置、３…後処理装置、４…フィニッシャーモジュール、５…トレイモジュール、６…後処理ユニット、８，９，１０…トレイコンポーネント、８ａ，９ａ，１０ａ…大容量トレイ、９ｂ…コンパイルトレイ、１１…フィニッシャーモジュール駆動系、１２…トレイモジュール駆動系、１３…モード入力部、１４…ジョブ選択部、１６…ジョブ決定部、１７…モジュール制御部
【図１】
0003651189.tif 000002
【図２】
0003651189.tif 000003
【図３】
0003651189.tif 000004
【図４】
0003651189.tif 000005
【図５】
0003651189.tif 000006
【図６】
0003651189.tif 000007